(57)【特許請求の範囲】
【請求項１】
入力されたアナログ映像音声信号をデジタルデータに変換するアナログ／デジタル変換手段と、該デジタルデータを圧縮符号化する圧縮符号化手段と、上記圧縮符号化されたデジタルデータがランダムアクセス可能な第一の記録媒体に対して記録、再生される状態を管理する記録再生管理手段と、上記圧縮符号化されたデジタルデータを伸長復号化する伸長復号化手段と、上記デジタルデータをアナログ映像信号に変換するデジタル／アナログ変換手段と、上記入力されたアナログ映像音声信号が圧縮符号化可能か不可能かを示す情報を検知する圧縮符号化不可信号検知手段とを備え、上記記録再生管理手段が、上記圧縮符号化不可信号検知手段において取得した情報に基づいて、上記圧縮符号化されたデジタルデータを上記第一の記録媒体に対して記録、再生する状態を管理する情報受信記録再生装置において、
上記圧縮符号化不可信号検知手段は、上記アナログ／デジタル変換手段において変換されたデジタル映像データの、水平方向の１ライン分のデータ数、及び垂直方向の１フィールド分のライン数を検出し、該検出したデータ数と上記アナログ映像音声信号に対応する１ラインあたりの規定データ数とを、及び上記検出したライン数と上記アナログ映像音声信号に対応する１フィールドあたりの規定ライン数とを比較し、その比較結果により、上記入力されたアナログ映像音声信号が圧縮符号化可能か不可能かを示す情報を出力するものである、
ことを特徴とする情報受信記録再生装置。
【請求項２】
入力されたアナログ映像音声信号をデジタルデータに変換するアナログ／デジタル変換手段と、該デジタルデータを圧縮符号化する圧縮符号化手段と、上記圧縮符号化されたデジタルデータがランダムアクセス可能な第一の記録媒体に対して記録、再生される状態を管理する記録再生管理手段と、上記圧縮符号化されたデジタルデータを伸長復号化する伸長復号化手段と、上記デジタルデータをアナログ映像信号に変換するデジタル／アナログ変換手段と、上記入力されたアナログ映像音声信号が圧縮符号化可能か不可能かを示す情報を検知する圧縮符号化不可信号検知手段とを備え、上記記録再生管理手段が、上記圧縮符号化不可信号検知手段において取得した情報に基づいて、上記圧縮符号化されたデジタルデータを上記第一の記録媒体に対して記録、再生する状態を管理する情報受信記録再生装置において、
上記圧縮符号化不可信号検知手段は、上記入力されたアナログ映像音声信号の水平同期信号を検出し、該検出した水平同期信号が一定時間間隔で検出されているか否かを判断し、その判断結果により、上記入力されたアナログ映像音声信号が圧縮符号化可能か不可能かを示す情報を出力するものである、
ことを特徴とする情報受信記録再生装置。
【請求項３】
請求項１または請求項２に記載の情報受信記録再生装置において、
上記記録再生管理手段は、上記圧縮符号化されたデジタルデータを、上記第一の記録媒体において、伸長復号化可能なデータ構造を確保するように管理するデータ管理手段をさらに備える、
ことを特徴とする情報受信記録再生装置。
【請求項４】
請求項１または請求項２に記載の情報受信記録再生装置において、
上記第一の記録媒体より高速なランダムアクセスが可能な第二の記録媒体をさらに備え、
上記記録再生管理手段は、上記圧縮符号化されたデジタルデータを、上記第二の記録媒体に一旦格納した後、該第二の記録媒体に格納されたデータを上記第一の記録媒体に記録するデータ管理手段をさらに備える、
ことを特徴とする情報受信記録再生装置。
【請求項５】
請求項４に記載の情報受信記録再生装置において、
上記データ管理手段は、上記圧縮符号化されたデジタルデータを、１ピクチャ単位のデータ構造を確保して上記第二の記録媒体に記録し、上記第二の記録媒体において１ピクチャ単位のデータ構造が確立されたデータを、上記第一の記録媒体に記録するものである、
ことを特徴とする情報受信記録再生装置。
【請求項６】
請求項４に記載の情報受信記録再生装置において、
上記データ管理手段は、上記圧縮符号化されたデジタルデータを、ＭＰＥＧ規格に基づいた方式における１ＧＯＰ単位のデータ構造を確保して上記第二の記録媒体に記録し、上記第二の記録媒体において１ＧＯＰ単位のデータ構造が確立されたデータを、上記第一の記録媒体に記録するものである、
ことを特徴とする情報受信記録再生装置。
【請求項７】
請求項５に記載の情報受信記録再生装置において、
上記データ管理手段は、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ピクチャ境界部までのデータを削除して、１ピクチャ単位のデータ構造を確保するものである、
ことを特徴とする情報受信記録再生装置。
【請求項８】
請求項６に記載の情報受信記録再生装置において、
上記データ管理手段は、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ＧＯＰ境界部までのデータを削除して、１ＧＯＰ単位のデータ構造を確保するものである、
ことを特徴とする情報受信記録再生装置。
【請求項９】
請求項１または請求項２に記載の情報受信記録再生装置において、
常時、圧縮符号化可能なデジタルデータを出力する圧縮符号化用デジタルデータ出力手段をさらに備え、
上記圧縮符号化用デジタルデータ出力手段は、
上記圧縮符号化不可信号検知手段により、上記入力されたアナログ映像音声信号が圧縮符号化可能と通知された場合、上記入力されたアナログ映像音声信号をデジタル変換したデジタルデータを出力し、
上記圧縮符号化不可信号検知手段により、上記入力されたアナログ映像音声信号が圧縮符号化不可能と通知された場合、当該情報受信記録再生装置内で保持しているデジタルデータを出力するものである、
ことを特徴とする情報受信記録再生装置。
【請求項１０】
請求項９に記載の情報受信記録再生装置において、
上記圧縮符号化用デジタルデータ出力手段より出力される、当該情報受信記録再生装置内で保持しているデジタルデータは、単一色の画像データを構成するデータである、
ことを特徴とする情報受信記録再生装置。
【請求項１１】
請求項９に記載の情報受信記録再生装置において、
上記圧縮符号化用デジタルデータ出力手段より出力される、当該情報受信記録再生装置内で保持しているデジタルデータは、メッセージ情報を含む画像データを構成するデータである、
ことを特徴とする情報受信記録再生装置。
【請求項１２】
請求項１または請求項２に記載の情報受信記録再生装置において、
上記記録再生管理手段は、
上記第一の記録媒体に圧縮符号化されたデジタルデータを任意の単位で記録し、上記圧縮符号化不可信号検知手段から取得された情報を、上記第一の記録媒体に上記任意の単位毎に記録された圧縮符号化されたデジタルデータに付加して記録する入力データ情報記録手段をさらに備えるものであり、
当該情報受信記録再生装置は、
上記入力データ情報記録手段により上記第一の記録媒体に記録された情報に基づいて、上記第一の記録媒体から読み出した圧縮符号化されたデジタルデータのうち、上記伸長復号化手段に出力するデータを選択して出力する伸長復号化用デジタルデータ出力手段をさらに備える、
ことを特徴とする情報受信記録再生装置。
【請求項１３】
請求項１２に記載の情報受信記録再生装置において、
上記伸長復号化用デジタルデータ出力手段は、上記第一の記録媒体から読み出したデータから上記入力データ情報記録手段により記録された情報を検出し、
上記検出された情報が、上記入力されたアナログ映像音声信号が圧縮符号化可能であることを通知する情報である場合、該読み出したデータを伸長復号化し、
上記検出された情報が、上記入力されたアナログ映像音声信号が圧縮符号化不可能であることを通知する情報である場合、上記読み出したデータを破棄する、
ことを特徴とする情報受信記録再生装置。
【請求項１４】
入力されたアナログ映像音声信号をデジタルデータに変換し、該デジタルデータを圧縮符号化して、ランダムアクセス可能な第一の記録媒体に記録し、上記第一の記録媒体より読み出した圧縮符号化されたデジタルデータを伸長復号化し、上記デジタルデータをアナログ映像信号に変換した後に出力する情報受信記録再生方法において、
上記入力されたアナログ映像音声信号が圧縮符号化可能か不可能かを示す情報を検知する圧縮符号化不可信号検知ステップと、
上記圧縮符号化不可信号検知ステップにおいて取得した情報に基づいて、上記圧縮符号化されたデジタルデータの記録再生状態を管理する記録再生管理ステップとを有し、
上記圧縮符号化不可信号検知ステップは、上記入力されたアナログ映像音声信号をデジタルデータに変換する際に、その変換したデジタル映像データの、水平方向の１ライン分のデータ数、及び垂直方向の１フィールド分のライン数を検出し、
該検出したデータ数と上記アナログ映像音声信号に対応する１ラインあたりの規定データ数とを、及び上記検出したライン数と上記アナログ映像音声信号に対応する１フィールドあたりの規定ライン数とを比較し、
その比較結果により、上記入力されたアナログ映像音声信号が圧縮符号化可能か不可能かを示す情報を出力するものである、
ことを特徴とする情報受信記録再生方法。
【請求項１５】
入力されたアナログ映像音声信号をデジタルデータに変換し、該デジタルデータを圧縮符号化して、ランダムアクセス可能な第一の記録媒体に記録し、上記第一の記録媒体より読み出した圧縮符号化されたデジタルデータを伸長復号化し、上記デジタルデータをアナログ映像信号に変換した後に出力する情報受信記録再生方法において、
上記入力されたアナログ映像音声信号が圧縮符号化可能か不可能かを示す情報を検知する圧縮符号化不可信号検知ステップと、
上記圧縮符号化不可信号検知ステップにおいて取得した情報に基づいて、上記圧縮符号化されたデジタルデータの記録再生状態を管理する記録再生管理ステップとを有し、
上記圧縮符号化不可信号検知ステップは、上記入力されたアナログ映像音声信号の水平同期信号を検出し、該検出した水平同期信号が一定時間間隔で検出されているか否かを判断し、その判断結果により、上記入力されたアナログ映像音声信号が圧縮符号化可能か不可能かを示す情報を出力するものである、
ことを特徴とする情報受信記録再生方法。
【請求項１６】
請求項１４または請求項１５に記載の情報受信記録再生方法において、
上記記録再生管理ステップは、上記第一の記録媒体に記録する上記圧縮符号化されたデジタルデータを、伸長復号化可能なデータ構造を確保するように管理するデータ管理ステップをさらに有する、
ことを特徴とする情報受信記録再生方法。
【請求項１７】
請求項１４または請求項１５に記載の情報受信記録再生方法において、
上記第一の記録媒体より高速なランダムアクセスが可能な第二の記録媒体をさらに有し、
上記記録再生管理ステップは、上記圧縮符号化されたデジタルデータを、上記第二の記録媒体に一旦格納した後、該第二の記録媒体に格納されたデータを上記第一の記録媒体に記録するデータ管理ステップをさらに有する、
ことを特徴とする情報受信記録再生方法。
【請求項１８】
請求項１７に記載の情報受信記録再生方法において、
上記データ管理ステップは、上記圧縮符号化されたデジタルデータを、１ピクチャ単位のデータ構造を確保して上記第二の記録媒体に記録し、上記第二の記録媒体において１ピクチャ単位のデータ構造が確立されたデータを、上記第一の記録媒体に記録するものである、
ことを特徴とする情報受信記録再生方法。
【請求項１９】
請求項１７に記載の情報受信記録再生方法において、
上記データ管理ステップは、上記圧縮符号化されたデジタルデータを、ＭＰＥＧ規格に基づいた方式における１ＧＯＰ単位のデータ構造を確保して上記第二の記録媒体に記録し、上記第二の記録媒体において１ＧＯＰ単位のデータ構造が確立されたデータを、上記第一の記録媒体に記録するものである、
ことを特徴とする情報受信記録再生方法。
【請求項２０】
請求項１８に記載の情報受信記録再生方法において、
上記データ管理ステップは、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ピクチャ境界部までのデータを削除して、１ピクチャ単位のデータ構造を確保するものである、
ことを特徴とする情報受信記録再生方法。
【請求項２１】
請求項１９に記載の情報受信記録再生方法において、
上記データ管理ステップは、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ＧＯＰ境界部までのデータを削除して、１ＧＯＰ単位のデータ構造を確保するものである、
ことを特徴とする情報受信記録再生方法。
【請求項２２】
請求項１４または請求項１５に記載の情報受信記録再生方法において、
常時、圧縮符号化可能なデジタルデータを出力する圧縮符号化用デジタルデータ出力ステップをさらに有し、
上記圧縮符号化用デジタルデータ出力ステップは、
上記入力されたアナログ映像音声信号が圧縮符号化可能と通知された場合、上記入力されたアナログ映像音声信号をデジタル変換したデジタルデータを出力し、
上記入力されたアナログ映像音声信号が圧縮符号化不可能と通知された場合、情報受信記録再生装置内で保持しているデジタルデータを出力するものである、
ことを特徴とする情報受信記録再生方法。
【請求項２３】
請求項２２に記載の情報受信記録再生方法において、
上記圧縮符号化用デジタルデータ出力ステップより出力される、上記情報受信記録再生装置内で保持しているデジタルデータは、単一色の画像データを構成するデータである、
ことを特徴とする情報受信記録再生方法。
【請求項２４】
請求項２２に記載の情報受信記録再生方法において、
上記圧縮符号化用デジタルデータ出力ステップより出力される、上記情報受信記録再生装置内で保持しているデジタルデータは、メッセージ情報を含む画像データを構成するデータである、
ことを特徴とする情報受信記録再生方法。
【請求項２５】
請求項１４または請求項１５に記載の情報受信記録再生方法において、
上記記録再生管理ステップは、
上記第一の記録媒体に圧縮符号化されたデジタルデータを任意の単位で記録し、上記圧縮符号化不可信号検知ステップから取得された情報を、上記第一の記録媒体に上記任意の単位毎に記録された圧縮符号化されたデジタルデータに付加して記録する入力データ情報記録ステップをさらに有するものであり、
当該情報受信記録再生方法は、
上記入力データ情報記録ステップにより上記第一の記録媒体に記録された情報に基づいて、上記第一の記録媒体から読み出した圧縮符号化されたデジタルデータのうち、伸長復号化するデータを選択して出力する伸長復号化用デジタルデータ出力ステップをさらに有する、
ことを特徴とする情報受信記録再生方法。
【請求項２６】
請求項２５に記載の情報受信記録再生方法において、
上記伸長復号化用デジタルデータ出力ステップは、上記第一の記録媒体から読み出したデータから、上記入力データ情報記録ステップにより記録された情報を検出し、
上記入力されたアナログ映像音声信号が圧縮符号化可能であると通知する情報が検出された場合、該読み出したデータを伸長復号化し、
上記入力されたアナログ映像音声信号が圧縮符号化不可能であると通知する情報が検出された場合、上記読み出したデータを破棄する、
ことを特徴とする情報受信記録再生方法。
【発明の詳細な説明】
【０００１】
技術分野
本発明は、アナログ映像音声信号を入力し、デジタル変換後、圧縮符号化し、ランダムアクセス可能な記録媒体に圧縮符号化されたデジタルデータを記録し、記録媒体より読み出した圧縮符号化されたデジタルデータを伸長復号化し、アナログ変換後、アナログ映像音声信号を出力する情報受信記録再生方法、及び情報受信記録再生装置に関する。
【０００２】
背景技術
従来、アナログ映像音声信号を入力し、デジタル変換後、圧縮符号化し、ランダムアクセス可能な記録媒体に圧縮符号化されたデジタルデータ（以下、「圧縮符号化データ」と呼ぶ。）を記録し、記録媒体より読み出した圧縮符号化データを伸長復号化し、アナログ変換後、アナログ映像音声信号を出力する方法、及びその装置としては、特開２０００−９２４４６号公報に記載されているテレビ番組の記録再生装置がある。
【０００３】
以下、従来の情報受信記録再生装置について、図２２を参照しながら説明する。
図２２は、従来の情報受信記録再生装置の構成を示す図である。
図２２において、従来の情報受信記録再生装置は、テレビ番組の映像信号を受信する受信回路１８０１と、アナログ信号をデジタル変換するＡ／Ｄ変換回路１８０２と、デジタル変換された映像信号をＭＰＥＧ処理などにより圧縮するデータ圧縮回路１８０３と、ランダムアクセス可能な記録媒体であるハードディスク１８０５と、圧縮符号化データをハードディスク１８０５に記録、あるいはハードディスク１８０５から読み出すハードディスクコントローラ１８０４と、圧縮符号化データをデジタル信号に伸長するデータ伸長回路１８０６と、デジタル信号をアナログ信号にアナログ変換するＤ／Ａ変換回路１８０７と、アナログ信号をモニタなどに出力する出力端子１８０８と、からなるものである。
【０００４】
そして、上述した構成を有する従来装置の動作は、受信回路１８０１で受信したテレビ番組のアナログ映像信号を、Ａ／Ｄ変換回路１８０２にてデジタル変換し、データ圧縮回路１８０３にて圧縮し、ハードディスクコントローラ１８０４を用いてハードディスク１８０５に記録し、ハードディスク１８０５に記録された圧縮された映像データを、ハードディスクコントローラ１８０４を用いて読み出し、データ伸長回路１８０６にて圧縮された映像データを伸長し、Ｄ／Ａ変換回路１８０７にてデジタル映像データをアナログ映像信号に変換した後、出力して表示する。
【０００５】
このような従来の情報受信記録再生装置において、入力されたアナログ映像信号の水平同期信号や垂直同期信号が正常でない、例えば、入力されたアナログ映像信号がテレビジョン信号における砂嵐のように見えるノイズ信号等の場合、上記データ圧縮回路１８０３にて圧縮符号化が不可能な状態になるため、上記ハードディスク１８０５への圧縮符号化データの記録を一時停止した後、上記データ圧縮回路１８０３にて圧縮符号化が可能な状態になった時点で、再度、上記ハードディスク１８０５への圧縮符号化データの記録を開始するようにしている。
【０００６】
しかしながら、以上のように圧縮符号化データの記録を中断し、符号化可能になってから記録を再開するのでは、上記ハードディスク１８０５内に記録されている圧縮符号化データのデータ構造が、記録の中断地点、あるいは記録の再開地点において、崩れることになり、上記ハードディスク１８０５内の圧縮符号化データをデータ伸長回路１８０６により伸長復号化して再生する際に、該記録の中断地点と再生地点とで、画像の乱れが発生したり、最悪の場合、システムのフリーズが発生する、という問題があった。
【０００７】
本発明は、上記課題を解決するためになされたものであり、入力されるアナログ映像音声信号の状態によって、画像の乱れや、システムのフリーズ等が発生しない、安定した情報受信記録再生方法、及び情報受信記録再生装置を提供することを目的とする。
【０００８】
発明の開示
本発明の請求項１に記載の情報受信記録再生装置は、入力されたアナログ映像音声信号をデジタルデータに変換するアナログ／デジタル変換手段と、該デジタルデータを圧縮符号化する圧縮符号化手段と、上記圧縮符号化されたデジタルデータがランダムアクセス可能な第一の記録媒体に対して記録、再生される状態を管理する記録再生管理手段と、上記圧縮符号化されたデジタルデータを伸長復号化する伸長復号化手段と、上記デジタルデータをアナログ映像信号に変換するデジタル／アナログ変換手段と、上記入力されたアナログ映像音声信号が圧縮符号化可能か不可能かを示す情報を検知する圧縮符号化不可信号検知手段とを備え、上記記録再生管理手段が、上記圧縮符号化不可信号検知手段において取得した情報に基づいて、上記圧縮符号化されたデジタルデータを上記第一の記録媒体に対して記録、再生する状態を管理する情報受信記録再生装置において、上記圧縮符号化不可信号検知手段は、上記アナログ／デジタル変換手段において変換されたデジタル映像データの、水平方向の１ライン分のデータ数、及び垂直方向の１フィールド分のライン数を検出し、該検出したデータ数と上記アナログ映像音声信号に対応する１ラインあたりの規定データ数とを、及び上記検出したライン数と上記アナログ映像音声信号に対応する１フィールドあたりの規定ライン数とを比較し、その比較結果により、上記入力されたアナログ映像音声信号が圧縮符号化可能か不可能かを示す情報を出力するものである。
これにより、入力されたアナログ映像音声信号が圧縮符号化可能か不可能かを示す情報を検出して取得し、圧縮符号化データを記録媒体に記録する際に、該情報に基づいて、上記圧縮符号化データを管理することができる。
【００１２】
本発明の請求項２に記載の情報受信記録再生装置は、入力されたアナログ映像音声信号をデジタルデータに変換するアナログ／デジタル変換手段と、該デジタルデータを圧縮符号化する圧縮符号化手段と、上記圧縮符号化されたデジタルデータがランダムアクセス可能な第一の記録媒体に対して記録、再生される状態を管理する記録再生管理手段と、上記圧縮符号化されたデジタルデータを伸長復号化する伸長復号化手段と、上記デジタルデータをアナログ映像信号に変換するデジタル／アナログ変換手段と、上記入力されたアナログ映像音声信号が圧縮符号化可能か不可能かを示す情報を検知する圧縮符号化不可信号検知手段とを備え、上記記録再生管理手段が、上記圧縮符号化不可信号検知手段において取得した情報に基づいて、上記圧縮符号化されたデジタルデータを上記第一の記録媒体に対して記録、再生する状態を管理する情報受信記録再生装置において、上記圧縮符号化不可信号検知手段は、上記入力されたアナログ映像音声信号の水平同期信号を検出し、該検出した水平同期信号が一定時間間隔で検出されているか否かを判断し、その判断結果により、上記入力されたアナログ映像音声信号が圧縮符号化可能か不可能かを示す情報を出力するものである。
これにより、入力されたアナログ映像音声信号が圧縮符号化可能か不可能かを示す情報を検出して取得し、圧縮符号化データを記録媒体に記録する際に、該情報に基づいて、上記圧縮符号化データを管理することができる。
【００１３】
本発明の請求項３に記載の情報受信記録再生装置は、請求項１または請求項２に記載の情報受信記録再生装置において、上記記録再生管理手段は、上記圧縮符号化されたデジタルデータを、上記第一の記録媒体において、伸長復号化可能なデータ構造を確保するように管理するデータ管理手段をさらに備えるものである。
これにより、記録媒体に圧縮符号化データを記録する際に、該記録媒体内の記録の中断地点と再開地点における圧縮符号化データの構造が崩れないようにすることができる。
【００１８】
本発明の請求項４に記載の情報受信記録再生装置は、請求項１または請求項２に記載の情報受信記録再生装置において、上記第一の記録媒体より高速なランダムアクセスが可能な第二の記録媒体をさらに備え、上記記録再生管理手段は、上記圧縮符号化されたデジタルデータを、上記第二の記録媒体に一旦格納した後、該第二の記録媒体に格納されたデータを上記第一の記録媒体に記録するデータ管理手段をさらに備えるものである。
これにより、第一の記録媒体に、伸長復号化可能なデータ構造を確保された圧縮符号化データのみを記録することができ、上記第一の記録媒体に圧縮符号化データを記録する際に、該第一の記録媒体内の記録の中断地点と再開地点における圧縮符号化データの構造が崩れないようにすることができる。
【００１９】
本発明の請求項５に記載の情報受信記録再生装置は、請求項４に記載の情報受信記録再生装置において、上記データ管理手段は、上記圧縮符号化されたデジタルデータを、１ピクチャ単位のデータ構造を確保して上記第二の記録媒体に記録し、上記第二の記録媒体において１ピクチャ単位のデータ構造が確立されたデータを、上記第一の記録媒体に記録するものである。
これにより、第一の記録媒体に圧縮符号化データを記録する際に、該第一の記録媒体内の記録の中断地点と再開地点における圧縮符号化データの構造を、より崩れないようにすることができる。
【００２０】
本発明の請求項６に記載の情報受信記録再生装置は、請求項４に記載の情報受信記録再生装置において、上記データ管理手段は、上記圧縮符号化されたデジタルデータを、ＭＰＥＧ規格に基づいた方式における１ＧＯＰ単位のデータ構造を確保して上記第二の記録媒体に記録し、上記第二の記録媒体において１ＧＯＰ単位のデータ構造が確立されたデータを、上記第一の記録媒体に記録するものである。
これにより、第一の記録媒体に圧縮符号化データを記録する際に、該第一の記録媒体内の記録の中断地点と再開地点における圧縮符号化データの構造を、より崩れないようにすることができる。
【００２１】
本発明の請求項７に記載の情報受信記録再生装置は、請求項５に記載の情報受信記録再生装置において、上記データ管理手段は、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ピクチャ境界部までのデータを削除して、１ピクチャ単位のデータ構造を確保するものである。
これにより、第一の記録媒体に、１ピクチャ単位のデータ構造を確保した圧縮符号化データのみを記録することができる。
【００２２】
本発明の請求項８に記載の情報受信記録再生装置は、請求項６に記載の情報受信記録再生装置において、上記データ管理手段は、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ＧＯＰ境界部までのデータを削除して、１ＧＯＰ単位のデータ構造を確保するものである。
これにより、第一の記録媒体に、１ＧＯＰ単位のデータ構造を確保した圧縮符号化データのみを記録することができる。
【００２３】
本発明の請求項９に記載の情報受信記録再生装置は、請求項１または請求項２に記載の情報受信記録再生装置において、常時、圧縮符号化可能なデジタルデータを出力する圧縮符号化用デジタルデータ出力手段をさらに備え、上記圧縮符号化用デジタルデータ出力手段は、上記圧縮符号化不可信号検知手段により、上記入力されたアナログ映像音声信号が圧縮符号化可能と通知された場合、上記入力されたアナログ映像音声信号をデジタル変換したデジタルデータを出力し、上記圧縮符号化不可信号検知手段により、上記入力されたアナログ映像音声信号が圧縮符号化不可能と通知された場合、当該情報受信記録再生装置内で保持しているデジタルデータを出力するものである。
これにより、入力されたアナログ映像音声信号が圧縮符号化不可能である場合でも、圧縮符号化可能なデジタルデータを常時出力することができる。
【００２４】
本発明の請求項１０に記載の情報受信記録再生装置は、請求項９に記載の情報受信記録再生装置において、上記圧縮符号化用デジタルデータ出力手段より出力される、当該情報受信記録再生装置内で保持しているデジタルデータは、単一色の画像データを構成するデータである。
これにより、ユーザが記録媒体に記録されたデータをチェックすることにより、入力されたアナログ映像音声信号が圧縮符号化可能か不可能かを知ることができる。
【００２５】
本発明の請求項１１に記載の情報受信記録再生装置は、請求項９に記載の情報受信記録再生装置において、上記圧縮符号化用デジタルデータ出力手段より出力される、当該情報受信記録再生装置内で保持しているデジタルデータは、メッセージ情報を含む画像データを構成するデータである。
これにより、記録媒体に記録されたデータを再生する際に、アナログ映像音声信号が圧縮符号化可能か不可能かを視覚的に表示することができ、ユーザが上記アナログ映像音声信号が圧縮符号化可能か不可能かを知ることができる。
【００２６】
本発明の請求項１２に記載の情報受信記録再生装置は、請求項１または請求項２に記載の情報受信記録再生装置において、上記記録再生管理手段は、上記第一の記録媒体に圧縮符号化されたデジタルデータを任意の単位で記録し、上記圧縮符号化不可信号検知手段から取得された情報を、上記第一の記録媒体に上記任意の単位毎に記録された圧縮符号化されたデジタルデータに付加して記録する入力データ情報記録手段をさらに備えるものであり、当該情報受信記録再生装置は、上記入力データ情報記録手段により上記第一の記録媒体に記録された情報に基づいて、上記第一の記録媒体から読み出した圧縮符号化されたデジタルデータのうち、上記伸長復号化手段に出力するデータを選択して出力する伸長復号化用デジタルデータ出力手段をさらに備えるものである。
これにより、記録媒体に記録されたデータを再生する際に、該データの状態により発生する画像の乱れや、システムのフリーズ等を回避することができる。
【００２７】
本発明の請求項１３に記載の情報受信記録再生装置は、請求項１２に記載の情報受信記録再生装置において、上記伸長復号化用デジタルデータ出力手段は、上記第一の記録媒体から読み出したデータから上記入力データ情報記録手段により記録された情報を検出し、上記検出された情報が、上記入力されたアナログ映像音声信号が圧縮符号化可能であることを通知する情報である場合、該読み出したデータを伸長復号化し、上記検出された情報が、上記入力されたアナログ映像音声信号が圧縮符号化不可能であることを通知する情報である場合、上記読み出したデータを破棄するものである。
これにより、記録媒体に記録されているデータのうち、画像の乱れや、システムのフリーズ等が発生しうるデータは再生しないようにすることができる。
【００３０】
本発明の請求項１４に記載の情報受信記録再生方法は、入力されたアナログ映像音声信号をデジタルデータに変換し、該デジタルデータを圧縮符号化して、ランダムアクセス可能な第一の記録媒体に記録し、上記第一の記録媒体より読み出した圧縮符号化されたデジタルデータを伸長復号化し、上記デジタルデータをアナログ映像信号に変換した後に出力する情報受信記録再生方法において、上記入力されたアナログ映像音声信号が圧縮符号化可能か不可能かを示す情報を検知する圧縮符号化不可信号検知ステップと、上記圧縮符号化不可信号検知ステップにおいて取得した情報に基づいて、上記圧縮符号化されたデジタルデータの記録再生状態を管理する記録再生管理ステップとを有し、上記圧縮符号化不可信号検知ステップは、上記入力されたアナログ映像音声信号をデジタルデータに変換する際に、その変換したデジタル映像データの、水平方向の１ライン分のデータ数、及び垂直方向の１フィールド分のライン数を検出し、該検出したデータ数と上記アナログ映像音声信号に対応する１ラインあたりの規定データ数とを、及び上記検出したライン数と上記アナログ映像音声信号に対応する１フィールドあたりの規定ライン数とを比較し、その比較結果により、上記入力されたアナログ映像音声信号が圧縮符号化可能か不可能かを示す情報を出力するものである。
これにより、入力されたアナログ映像音声信号が圧縮符号化可能か不可能かを示す情報を検出して取得し、圧縮符号化データを記録媒体に記録する際に、該情報に基づいて、上記圧縮符号化データの状態を管理することができる。
【００３４】
本発明の請求項１５に記載の情報受信記録再生方法は、入力されたアナログ映像音声信号をデジタルデータに変換し、該デジタルデータを圧縮符号化して、ランダムアクセス可能な第一の記録媒体に記録し、上記第一の記録媒体より読み出した圧縮符号化されたデジタルデータを伸長復号化し、上記デジタルデータをアナログ映像信号に変換した後に出力する情報受信記録再生方法において、上記入力されたアナログ映像音声信号が圧縮符号化可能か不可能かを示す情報を検知する圧縮符号化不可信号検知ステップと、上記圧縮符号化不可信号検知ステップにおいて取得した情報に基づいて、上記圧縮符号化されたデジタルデータの記録再生状態を管理する記録再生管理ステップとを有し、上記圧縮符号化不可信号検知ステップは、上記入力されたアナログ映像音声信号の水平同期信号を検出し、該検出した水平同期信号が一定時間間隔で検出されているか否かを判断し、その判断結果により、上記入力されたアナログ映像音声信号が圧縮符号化可能か不可能かを示す情報を出力するものである。
これにより、入力されたアナログ映像音声信号が圧縮符号化可能か不可能かを示す情報を検出して取得し、圧縮符号化データを記録媒体に記録する際に、該情報に基づいて、上記圧縮符号化データの状態を管理することができる。
【００３５】
本発明の請求項１６に記載の情報受信記録再生方法は、請求項１４または請求項１５に記載の情報受信記録再生方法において、上記記録再生管理ステップは、上記第一の記録媒体に記録する上記圧縮符号化されたデジタルデータを、伸長復号化可能なデータ構造を確保するように管理するデータ管理ステップをさらに有するものである。
これにより、記録媒体に圧縮符号化データを記録する際に、該記録媒体内の記録の中断地点と再開地点における圧縮符号化データの構造を崩れないようにすることができる。
【００４０】
本発明の請求項１７に記載の情報受信記録再生方法は、請求項１４または請求項１５に記載の情報受信記録再生方法において、上記第一の記録媒体より高速なランダムアクセスが可能な第二の記録媒体をさらに有し、上記記録再生管理ステップは、上記圧縮符号化されたデジタルデータを、上記第二の記録媒体に一旦格納した後、該第二の記録媒体に格納されたデータを上記第一の記録媒体に記録するデータ管理ステップをさらに有するものである。
これにより、第一の記録媒体に、伸長復号化可能なデータ構造を確保された圧縮符号化データのみを記録することができ、上記第一の記録媒体に圧縮符号化データを記録する際に、該第一の記録媒体の記録の中断地点と再開地点における圧縮符号化データの構造が崩れないようにすることができる。
【００４１】
本発明の請求項１８に記載の情報受信記録再生方法は、請求項１７に記載の情報受信記録再生方法において、上記データ管理ステップは、上記圧縮符号化されたデジタルデータを、１ピクチャ単位のデータ構造を確保して上記第二の記録媒体に記録し、上記第二の記録媒体において１ピクチャ単位のデータ構造が確立されたデータを、上記第一の記録媒体に記録するものである。
これにより、第一の記録媒体に圧縮符号化データを記録する際に、該第一の記憶媒体内の記録の中断地点と再開地点における圧縮符号化データの構造を、より崩れないようにすることができる。
【００４２】
本発明の請求項１９に記載の情報受信記録再生方法は、請求項１７に記載の情報受信記録再生方法において、上記データ管理ステップは、上記圧縮符号化されたデジタルデータを、ＭＰＥＧ規格に基づいた方式における１ＧＯＰ単位のデータ構造を確保して上記第二の記録媒体に記録し、上記第二の記録媒体において１ＧＯＰ単位のデータ構造が確立されたデータを、上記第一の記録媒体に記録するものである。
これにより、第一の記録媒体に圧縮符号化データを記録する際に、該第一の記憶媒体内の記録の中断地点と再開地点における圧縮符号化データの構造を、より崩れないようにすることができる。
【００４３】
本発明の請求項２０に記載の情報受信記録再生方法は、請求項１８に記載の情報受信記録再生方法において、上記データ管理ステップは、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ピクチャ境界部までのデータを削除して、１ピクチャ単位のデータ構造を確保するものである。
これにより、第一の記録媒体に、１ピクチャ単位のデータ構造を確保された圧縮符号化データのみを記録することができる。
【００４４】
本発明の請求項２１に記載の情報受信記録再生方法は、請求項１９に記載の情報受信記録再生方法において、上記データ管理ステップは、上記圧縮符号化されたデジタルデータを上記第二の記録媒体に記録途中に、上記入力されたアナログ映像音声信号が圧縮符号化不可能と通知された場合、すでに上記第二の記録媒体に記録済みの１ＧＯＰ境界部までのデータを削除して、１ＧＯＰ単位のデータ構造を確保するものである。
これにより、第一の記録媒体に、１ＧＯＰ単位のデータ構造を確保された圧縮符号化データのみを記録することができる。
【００４５】
本発明の請求項２２に記載の情報受信記録再生方法は、請求項１４または請求項１５に記載の情報受信記録再生方法において、常時、圧縮符号化可能なデジタルデータを出力する圧縮符号化用デジタルデータ出力ステップをさらに有し、上記圧縮符号化用デジタルデータ出力ステップは、上記入力されたアナログ映像音声信号が圧縮符号化可能と通知された場合、上記入力されたアナログ映像音声信号をデジタル変換したデジタルデータを出力し、上記入力されたアナログ映像音声信号が圧縮符号化不可能と通知された場合、情報受信記録再生装置内で保持しているデジタルデータを出力するものである。
これにより、入力されたアナログ映像音声信号が圧縮符号化不可能である場合でも、圧縮符号化可能なデジタルデータを、常時出力することができる。
【００４６】
本発明の請求項２３に記載の情報受信記録再生方法は、請求項２２に記載の情報受信記録再生方法において、上記圧縮符号化用デジタルデータ出力ステップより出力される、上記情報受信記録再生装置内で保持しているデジタルデータは、単一色の画像データを構成するデータである。
これにより、ユーザが記録媒体に記録されたデータをチェックすることにより、入力されたアナログ映像音声信号が圧縮符号化可能か不可能かを知ることができる。
【００４７】
本発明の請求項２４に記載の情報受信記録再生方法は、請求項２２に記載の情報受信記録再生方法において、上記圧縮符号化用デジタルデータ出力ステップより出力される、上記情報受信記録再生装置内で保持しているデジタルデータは、メッセージ情報を含む画像データを構成するデータである。
これにより、記録媒体に記録されたデータを再生する際に、入力されたアナログ映像音声信号が圧縮符号化可能か不可能かを視覚的に表示することができ、ユーザが該アナログ映像音声信号が圧縮符号化可能か不可能かを知ることができる。
【００４８】
本発明の請求項２５に記載の情報受信記録再生方法は、請求項１４または請求項１５に記載の情報受信記録再生方法において、上記記録再生管理ステップは、上記第一の記録媒体に圧縮符号化されたデジタルデータを任意の単位で記録し、上記圧縮符号化不可信号検知ステップから取得された情報を、上記第一の記録媒体に上記任意の単位毎に記録された圧縮符号化されたデジタルデータに付加して記録する入力データ情報記録ステップをさらに有するものであり、当該情報受信記録再生方法は、上記入力データ情報記録ステップにより上記第一の記録媒体に記録された情報に基づいて、上記第一の記録媒体から読み出した圧縮符号化されたデジタルデータのうち、伸長復号化するデータを選択して出力する伸長復号化用デジタルデータ出力ステップをさらに有するものである。
これにより、記録媒体に記録されたデータを再生する際に、該データの状態により発生する画像の乱れや、システムのフリーズ等を回避することができる。
【００４９】
本発明の請求項２６に記載の情報受信記録再生方法は、請求項２５に記載の情報受信記録再生方法において、上記伸長復号化用デジタルデータ出力ステップは、上記第一の記録媒体から読み出したデータから、上記入力データ情報記録ステップにより記録された情報を検出し、上記入力されたアナログ映像音声信号が圧縮符号化可能であると通知する情報が検出された場合、該読み出したデータを伸長復号化し、上記入力されたアナログ映像音声信号が圧縮符号化不可能であると通知する情報が検出された場合、上記読み出したデータを破棄するものである。
これにより、記録媒体に記録されているデータのうち、画像の乱れや、システムのフリーズ等が発生しうるデータは再生しないようにすることができる。
【００５２】
発明を実施するための最良の形態
実施の形態１．
以下に、図１から図７を用いて、本発明の実施の形態１について説明する。
本実施の形態１における情報受信記録再生装置は、入力されたアナログ映像音声信号が圧縮符号化可能か不可能かを検知する圧縮符号化不可信号検知部と、上記アナログ映像音声信号の圧縮符号化データの、記録媒体への入出力を管理する記録再生管理部とを備え、該圧縮符号化不可信号検知部から取得された情報により、上記記録媒体に記録する圧縮符号化データの記録再生状態を、上記記録再生管理部で管理するようにしたものである。
【００５３】
まず、図１を用いて、本実施の形態１における情報受信記録再生装置の構成について説明する。
図１は、本実施の形態１における情報受信記録再生装置の構成を示すブロック図である。
図において、本実施の形態１における情報受信記録再生装置は、アナログ／デジタル変換部１０１、圧縮符号化不可信号検知部１０２、圧縮符号化部１０３、記録再生管理部１０４、記録媒体１０５、伸長復号化部１０６、及びデジタル／アナログ変換部１０７からなるものである。
【００５４】
アナログ／デジタル変換部１０１は、入力されたアナログ映像音声信号をデジタルデータに変換するものであり、圧縮符号化不可信号検知部１０２は、上記アナログ／デジタル変換部１０１から出力されたデジタル映像データの水平方向成分、垂直方向成分をチェックし、上記入力されたアナログ映像音声信号が圧縮符号化可能か不可能かを示す情報を出力するものである。
【００５５】
また、圧縮符号化部１０３は、上記圧縮符号化不可信号検知部１０２より通知される上記圧縮符号化可能か不可能かを示す情報に従い、デジタルデータの圧縮符号化処理、及び圧縮符号化データの出力管理処理を行うものであり、記録再生管理部１０４は、上記圧縮符号化不可信号検知部１０２より通知される圧縮符号化可能か不可能かを示す情報に従い、圧縮符号化部１０３より出力される圧縮符号化データの記録媒体１０５への記録管理、及び伸長復号化部１０６への圧縮符号化データの入力管理を行うものである。
そして、伸長復号化部１０６は、入力された圧縮符号化データの伸長復号処理を行うものであり、デジタル／アナログ変換部１０７は、入力されたデジタルデータをアナログ映像音声信号に変換して出力するものである。
【００５６】
次に、上述した構成を有する、本実施の形態１の情報受信記録再生装置において、アナログ映像音声信号を記録媒体１０５に記録する処理動作について説明する。
本情報受信記録再生装置に入力されたアナログ映像音声信号は、アナログ／デジタル変換部１０１においてデジタルデータに変換され、圧縮符号化部１０３に入力される。またそれと同時に、上記アナログ／デジタル変換部１０１においてデジタル変換されたデジタル映像データが圧縮符号化不可信号検知部１０２に出力され、その水平方向成分、及び垂直方向成分がチェックされる。そして、上記チェックの結果により、入力されたアナログ映像音声信号が圧縮符号化可能か不可能かを判断し、該アナログ映像音声信号が圧縮符号化可能か不可能かを示す情報が、圧縮符号化部１０３、及び記録再生管理部１０４に出力される。
【００５７】
そして、圧縮符号化部１０３では、上記圧縮符号化不可信号検知部１０２から出力される上記圧縮符号化可能か不可能かを示す情報に従って、上記アナログ／デジタル変換部１０１からのデジタルデータを圧縮符号化して出力し、その圧縮符号化されたデータを、記録再生管理部１０４の管理の下、記録媒体１０５に記録する。
ここで、図２から図５を用いて、上述した動作における、本実施の形態１の情報受信記録再生装置内の上記圧縮符号化不可信号検知部１０２、圧縮符号化部１０３、及び記録再生管理部１０４の動作を、詳細に述べる。
【００５８】
まず、図２に示すフローチャートに従って、上記圧縮符号化不可信号検知部１０２において、入力されたアナログ映像音声信号が圧縮符号化可能か不可能かを示す情報を出力する処理動作について説明する。
図２は、本実施の形態１の情報受信記録再生装置における、圧縮符号化不可信号検知部の一連の処理動作を示すフローチャート図である。
【００５９】
まず、ステップ２０１において、アナログ／デジタル変換部１０１から出力されたデジタル映像データを受信し、ステップ２０２において、その受信したデジタル映像データの水平方向１ライン分のデータ数（NumOfH）を取得する。
そして、ステップ２０３において、取得した１ライン分のデータ数（NumOfH）と、該アナログ映像信号に対応する規格が規定する１ラインあたりの規定データ数（HVal）とを比較し、一致しない場合は圧縮符号化不可能であると判断して、ステップ２０７に進み、圧縮符号化部１０３及び記録再生管理部１０４に、入力されたアナログ映像音声信号が圧縮符号化不可能であることを示す情報を通知する。一方、ステップ２０３において、取得した１ライン分のデータ数（NumOfH）と、該アナログ映像信号に対応する規格が規定する１ラインあたりの規定データ数（HVal）とが一致した場合は、ステップ２０４に進む。
【００６０】
なお、上記ステップ２０３において比較対象となる、上記１ラインあたりの規定データ数（HVal）には、規格毎に異なった値が規定されているものであり、図３に、代表的な映像信号に関わる規格であるITU-R BT.601-5における１ラインあたりの規定データ数（HVal）を示す。
【００６１】
そして、ステップ２０４において、今度は、アナログ／デジタル変換部１０１から出力されたデジタル映像データの垂直方向１フィールド分のライン数（NumOfL）を取得し、ステップ２０５において、上記ステップ２０４で取得した１フィールド分のライン数（NumOfL）と、該アナログ映像信号に対応する規格が規定する１フィールドあたりの規定ライン数（LVal）とを比較し、一致しない場合は圧縮符号化不可能であると判断して、ステップ２０７に進み、圧縮符号化部１０３及び記録再生管理部１０４に、入力されたアナログ映像音声信号が圧縮符号化不可能であることを示す情報を通知する。一方、ステップ２０５において、取得した１フィールド分のライン数（NumOfL）と、該アナログ映像信号に対応する規格が規定する１フィールドあたりの規定ライン数（LVal）とが一致した場合は、圧縮符号化可能であると判断して、ステップ２０６において、圧縮符号化部１０３及び記録再生管理部１０４に、入力されたアナログ映像音声信号が圧縮符号化可能であることを示す情報を通知する。
【００６２】
なお、上記ステップ２０５において比較対象となる、上記１フィールドあたりの規定ライン数（LVal）には、上記１ラインあたりの規定データ数（HVal）と同様、規格毎に異なった値が規定されるものであり、図３に、代表的な映像信号に関わる規格であるITU-R BT.601-5における１フィールドあたりの規定ライン数（LVal）を示す。
【００６３】
次に、図４に示すフローチャートに従って、アナログ映像音声信号が圧縮符号化可能か不可能かを示す情報が通知された際の、上記圧縮符号化部１０３の処理動作について説明する。
図４は、本実施の形態１の圧縮符号化部において、入力されたアナログ映像音声信号が圧縮符号化可能か不可能かを示す情報が通知された際の処理動作を示すフローチャート図である。
【００６４】
まず、ステップ４０１において、上記圧縮符号化不可信号検知部１０２から出力される、圧縮符号化可能か不可能かを示す情報を圧縮符号化部１０３が受信すると、ステップ４０２，４０３，４０７において、現在の圧縮符号化部１０３の状態、及び該圧縮符号化部１０３に通知される上記圧縮符号化可能か不可能かを示す情報の内容をチェックする。
そして、ステップ４０２において、現在の圧縮符号化部１０３の状態が‘圧縮符号化処理状態’で、ステップ４０３において、圧縮符号化可能であることを示す情報の通知であった場合は、ステップ４１０に進み、特別な処理を行わず、圧縮符号化可能／不可能情報受信に伴う処理を終了する。
【００６５】
また、ステップ４０２において、現在の圧縮符号化部１０３の状態が‘圧縮符号化処理状態’で、ステップ４０３において、圧縮符号化不可能であることを示す情報の通知であった場合は、ステップ４０４に進み、圧縮符号化処理の一時停止と、再度、圧縮符号化可能なアナログ映像音声信号が入力された際に圧縮符号化処理再開のための準備処理を行い、ステップ４０５において、現在の圧縮符号化部１０３の状態を‘圧縮符号化一時停止状態’に設定し、ステップ４０６で、圧縮符号化可能であることを示す情報の通知を待機する処理を行った後、ステップ４１０において、圧縮符号化可能／不可能情報受信に伴う処理を終了する。
【００６６】
また、ステップ４０２において、現在の圧縮符号化部１０３の状態が‘圧縮符号化一時停止状態’で、ステップ４０７において、圧縮符号化可能であることを示す情報の通知であった場合は、ステップ４０８に進んで、圧縮符号化処理を再開し、ステップ４０９で、現在の圧縮符号化部１０３の状態を‘圧縮符号化処理状態’に設定した後、ステップ４１０において、圧縮符号化可能／不可能情報受信に伴う処理を終了する。
【００６７】
さらに、ステップ４０２において、現在の圧縮符号化部１０３の状態が‘圧縮符号化一時停止状態’で、ステップ４０７において、圧縮符号化不可能であることを示す情報の通知であった場合には、ステップ４１０に進み、特別な処理を行わず、圧縮符号化可能／不可能情報受信に伴う処理を終了する。
【００６８】
次に、図５に示すフローチャートに従って、アナログ映像音声信号が圧縮符号化可能か不可能かを示す情報が通知された際の、上記記録再生管理部１０４の処理動作について説明する。
図５は、本実施の形態１の記録再生管理部において、入力されたアナログ映像音声信号が圧縮符号化可能か不可能かを示す情報が通知された際の処理動作を示すフローチャート図である。
【００６９】
まず、ステップ５０１において、上記圧縮符号化不可信号検知部１０２から出力される、圧縮符号化可能か不可能かを示す情報を記録再生管理部１０４が受信すると、ステップ５０２，５０３，５０６において、現在の圧縮符号化データの記録状態、及び該記録再生管理部１０４に通知された上記圧縮符号化可能か不可能かを示す情報の内容をチェックする。
【００７０】
そして、ステップ５０２において、現在、圧縮符号化データが記録状態にあり、ステップ５０３において、圧縮符号化可能であることを示す情報の通知であった場合は、ステップ５０８に進み、特別な処理を行わず、圧縮符号化可能／不可能情報受信に伴う処理を終了する。
【００７１】
また、ステップ５０２において、現在、圧縮符号化データが記録状態にあり、ステップ５０３において、圧縮符号化不可能であることを示す情報の通知であった場合は、ステップ５０４に進んで、記録媒体１０５への圧縮符号化データの記録を一時停止し、再度、圧縮符号化可能なアナログ映像音声信号が入力された際に、圧縮符号化データを記録媒体１０５に記録を再開するための準備処理を行う。ここで、記録を再開するための準備処理とは、上記記録媒体１０５に記録されている圧縮符号化データを、再生時に伸長復号化可能なデータ構造が確保できる部分まで削除してデータ構造を整える処理をいう。そして、ステップ５０５で、圧縮符号化可能であることを示す情報の通知を待機する処理を行った後、ステップ５０８に進み、圧縮符号化可能／不可能情報受信に伴う処理を終了する。
【００７２】
また、ステップ５０２において、現在、圧縮符号化データが記録一時停止状態にあり、ステップ５０６において、圧縮符号化可能であることを示す情報の通知であった場合は、ステップ５０７に進み、記録媒体１０５への圧縮符号化データの記録を再開した後、ステップ５０８において、圧縮符号化可能／不可能情報受信に伴う処理を終了する。
【００７３】
さらに、ステップ５０２において、現在、圧縮符号化データが記録一時停止状態にあり、ステップ５０６において、圧縮符号化不可能であることを示す情報の通知であった場合は、ステップ５０８に進み、特別な処理を行わず、圧縮符号化可能／不可能情報受信に伴う処理を終了する。
【００７４】
このように、上述の、アナログ映像音声信号を記録媒体１０５に記録する動作においては、上記圧縮符号化不可信号検知部１０２が、上記アナログ／デジタル変換部１０１から出力されたデジタル映像データの水平方向成分と垂直方向成分とをチェックし、該アナログ映像音声信号が圧縮符号化可能か不可能かを判断するものであったが、上記アナログ映像音声信号が圧縮符号化可能か不可能かの判断を、上記圧縮符号化不可信号検知部が、圧縮符号化部における圧縮符号化状態をチェックすることにより行うようにしてもよい。
【００７５】
以下、図６を用いて、アナログ映像音声信号が圧縮符号化可能か不可能かを、圧縮符号化部での圧縮符号化状態によって判断する場合の、情報受信記録再生方法、及び情報受信記録再生装置について、実施の形態１の変形例１として説明する。
【００７６】
（実施の形態１の変形例１）
図６は、実施の形態１の変形例１における、情報受信記録再生装置の構成を示す図である。
図において、本実施の形態１の変形例１における情報受信記録再生装置は、アナログ／デジタル変換部６０１、圧縮符号化不可信号検知部６０２、圧縮符号化部６０３、記録再生管理部６０４、記録媒体６０５、伸長復号化部６０６、及びデジタル／アナログ変換部６０７からなるものであり、上記圧縮符号化不可信号検知部６０２は、上記圧縮符号化部６０３の圧縮符号化状態をチェックし、入力されたアナログ映像音声信号が圧縮符号化可能か不可能かを判断して、圧縮符号化可能か不可能かを示す情報を出力するものである。
なお、その他の構成は、上記実施の形態１で説明した、図１に示したものと同様であるため、ここでは説明を省略する。
【００７７】
次に、上述した構成を有する、本実施の形態１の変形例１の情報受信記録再生装置において、アナログ映像音声信号を記録媒体６０５に記録する動作について説明する。
まず、本情報受信記録再生装置に入力されたアナログ映像音声信号は、アナログ／デジタル変換部６０１でデジタルデータに変換され、圧縮符号化部６０３に出力される。そして、上記デジタルデータは、上記圧縮符号化部６０３において圧縮符号化され、その圧縮符号化状態は、圧縮符号化不可信号検知部６０２においてチェックされる。そして、そのチェックの結果により、入力されたアナログ映像音声信号が圧縮符号化可能か不可能かを判断し、該アナログ映像音声信号が圧縮符号化可能か不可能かを示す情報が、記録再生管理部６０４に出力される。
【００７８】
そして、上記圧縮符号化部６０３から出力された圧縮符号化データは、上記圧縮符号化不可信号検知部６０２から出力される上記圧縮符号化可能か不可能かを示す情報により、記録再生管理部６０４において管理されながら、記録媒体６０５に記録される。
【００７９】
ここで、図７に示すフローチャートに従って、上記圧縮符号化不可信号検知部６０２において、入力されたアナログ映像音声信号が圧縮符号化可能か不可能かを示す情報を出力する処理動作について説明する。
図７は、本実施の形態１の変形例１の圧縮符号化不可信号検知部において、圧縮符号化部の圧縮状態より、圧縮符号化可能か不可能かを示す情報を得る処理動作を示すフローチャート図である。
【００８０】
まず、ステップ７０１において、圧縮符号化部６０３におけるデジタルデータの圧縮符号化状態をチェックし、上記圧縮符号化部６０３から、圧縮符号化処理時の例外発生を通知する割り込みが発生されるまで待機する。そして、上記圧縮符号化部６０３から割り込みが発生した場合、ステップ７０２において、その割り込み原因が、圧縮符号化処理の成功もしくは失敗にかかわる情報の通知によるものかどうかをチェックし、該割り込み原因が、圧縮符号化処理の成功もしくは失敗にかかわる情報の通知によるものであった場合、ステップ７０３に進む。そして、ステップ７０３において、上記ステップ７０２の割り込み情報が、圧縮符号化処理の成功を示す情報か、あるいは失敗を示す情報であるかを判断し、圧縮符号化処理の成功を示す情報であれば、ステップ７０４に進み、記録再生管理部６０４に対して、上記アナログ映像音声信号が圧縮符号化可能であることを示す情報を出力する。一方、ステップ７０３において、上記ステップ７０２の割り込み情報が、圧縮符号化処理の失敗を示す情報であれば、ステップ７０５に進み、記録再生管理部６０４に、上記アナログ映像音声信号が圧縮符号化不可能であることを示す情報を出力する。
【００８１】
このように、本実施の形態１の変形例１における、アナログ映像音声信号を記録媒体６０５に記録する動作では、上記圧縮符号化不可信号検知部６０２が、圧縮符号化部６０３における圧縮符号化状態をチェックし、該アナログ映像信号が圧縮符号化可能か不可能かを判断するものであったが、上記アナログ映像音声信号が圧縮符号化可能か不可能かの判断を、上記圧縮符号化不可信号検知部が、アナログ映像音声信号における水平同期信号を検出し、その水平同期信号が一定時間間隔で検出されているかどうかをチェックすることにより行うようにしてもよい。
【００８２】
以下、図８を用いて、アナログ映像信号が圧縮符号化可能か不可能かを、アナログ映像音声信号における水平同期信号を検出し、その水平同期信号が一定時間間隔で検出されているかによって判断する場合の、情報受信記録再生方法、及び情報受信記録再生装置について、実施の形態１の変形例２として説明する。
【００８３】
（実施の形態１の変形例２）
図８は、本実施の形態１の変形例２における、情報受信記録再生装置の構成を示す図である。
図において、本実施の形態１の変形例２における情報受信記録再生装置は、アナログ／デジタル変換部１９０１、圧縮符号化不可信号検知部１９０２、圧縮符号化部１９０３、記録再生管理部１９０４、記録媒体１９０５、伸長復号化部１９０６、及びデジタル／アナログ変換部１９０７からなるものであり、上記圧縮符号化不可信号検知部１９０２は、アナログ映像音声信号における水平同期信号を検出し、その水平同期信号が一定時間間隔で検出されているかをチェックし、入力されたアナログ映像音声信号が圧縮符号化可能か不可能かを判断して、圧縮符号化可能か不可能かを示す情報を検出するものである。
なお、そのほかの構成は、上記実施の形態１で説明した、図１に示したものと同様であるので、ここでは説明を省略する。
【００８４】
次に、上述した構成を有する、本実施の形態１の変形例２の情報受信記録再生装置において、アナログ映像音声信号を記録媒体１９０５に記録する動作について説明する。
まず、本情報受信記録再生装置に入力されたアナログ映像音声信号は、アナログ／デジタル変換部１９０１でデジタルデータに変換され、圧縮符号化部１９０３に出力される。またそれと同時に、本情報受信記録再生装置に入力されたアナログ映像音声信号は、圧縮符号化不可信号検知部１９０２に入力され、該圧縮符号化不可信号検知部１９０２において、該アナログ映像音声信号の水平同期信号を検出して、その水平同期信号が一定時間間隔で検出されているかをチェックし、そのチェックの結果により、入力されるアナログ映像音声信号が圧縮符号化可能か不可能かを判断して、該アナログ映像音声信号が圧縮符号化可能か不可能かを示す情報を、上記圧縮符号化部１９０３と、記録再生管理部１９０４とに出力する。
【００８５】
そして、上記圧縮符号化部１９０３では、上記圧縮符号化不可信号検知部１９０２から出力された上記圧縮符号化可能か不可能かを示す情報に従って、上記アナログ／デジタル変換部１９０１からのデジタルデータを圧縮符号化して出力し、その圧縮符号化されたデータを、上記記録再生管理部１９０４の管理の下、記録媒体１９０５に記録する。
【００８６】
ここで、図９から図１１を用いて、上記圧縮符号化不可信号検知部１９０２において、入力されたアナログ映像音声信号が、圧縮符号化可能か不可能かを示す情報を出力する処理動作について説明する。
図９は、本実施の形態１の変形２の情報受信記録再生装置における、圧縮符号化不可信号検知部の一連の処理動作を示すフローチャート図である。
まず、ステップ２００１において、入力されたアナログ映像信号から、水平同期信号を検出する。
【００８７】
ここで、アナログ映像信号の水平同期信号の検出について説明する。図１０には、アナログ映像信号の仕様（米国EIA（Electronic Industries Association）から発表されているテレビジョン信号の規格、仕様であるRS-170A規格）に関して示し、図において、アナログ映像信号は、ＩＲＥ（Institute of Radio Engineers）という単位で表されており、この単位は絶対値ではなく比率を表し、アナログ映像信号の白１００％までのレベルを１００ＩＲＥで表現する。
【００８８】
そして、上記水平同期信号の検出は、水平同期振幅レベル２１０３のレベル値と、水平同期信号期間２１０４の期間とを検知することで行う。なお、図１１に、日本や米国でカラーテレビジョン信号として採用されているＮＴＳＣ方式における、図１０で示した各項目の値を挙げておく。
【００８９】
そして、ステップ２００２において、上記ステップ２００１において検出した水平同期信号と、その１つ前に検出した水平同期信号との間の周期間隔である、水平同期信号取得周期時間（Hsync Cycle）を取得する。そして、ステップ２００３において、上記ステップ２００２で取得した水平同期信号取得周期時間（Hsync Cycle）と、規格上の水平同期信号間隔（HCycle）とを比較し、値が一致した場合は、圧縮符号化可能であると判断し、ステップ２００４に進んで、上記圧縮符号化部１９０３、及び記録再生管理部１９０４に対して、上記入力されるアナログ映像音声信号が圧縮符号化可能であることを示す情報を出力する。一方、ステップ２００３において、上記ステップ２００２で取得した水平同期信号取得周期時間（Hsync Cycle）と、規格上の水平同期信号間隔（HCycle）との値が一致しなかった場合は、圧縮符号化不可能であると判断し、ステップ２００５に進んで、上記圧縮符号化部１９０３、及び記録再生管理部１９０４に対して、上記入力されるアナログ映像音声信号が圧縮符号化不可能であることを示す情報を出力する。
【００９０】
以上のように、本実施の形態１及びその変形例によれば、圧縮符号化不可信号検知部から取得された圧縮符号化可能か不可能かを示す情報により、記録再生管理部において、上記記録媒体に対する、圧縮符号化データの記録再生状態を管理するようにしたので、本情報受信記録再生装置に入力されたアナログ映像音声信号が、圧縮符号化不可能な信号の場合でも、上記記録媒体内における記録の中断地点と再開地点とのデータ構造が崩れないようにし、上記記録媒体内の圧縮符号化データを伸長復号化して再生する際に、画像の乱れや、システムのフリーズ等が発生しないようにすることができる。
【００９１】
実施の形態２．
以下に、図１、図２、及び図１２から図１５を用いて、本発明の実施の形態２について説明する。
本実施の形態２における情報受信記録再生装置は、実施の形態１における記録再生管理部に、記録媒体に記録した圧縮符号化データを管理するデータ管理手段をもたせ、該記録媒体に記録された圧縮符号化データが伸長復号化可能なデータ構造を確保するように管理するものである。
【００９２】
まず、図１を用いて、本実施の形態２における、情報受信記録再生装置の構成について説明する。
本実施の形態２における情報受信記録再生装置の構成は、上記実施の形態１と同様であるが、上記記録再生管理部１０４が、上記圧縮符号化不可信号検知部１０２より通知された情報に従って、圧縮符号化部１０３から出力される圧縮符号化データの記録媒体１０５への記録管理、及び伸長復号化部１０６への圧縮符号化データの入力管理を行うのに加え、さらに上記記録媒体１０５に記録された圧縮符号化データの管理を行うものである。
【００９３】
ここで、図１２を用いて、本実施の形態２における記録再生管理部１０４により、上記記録媒体１０５に記録された圧縮符号化データが、１ピクチャ単位のデータ構造を確保して管理されている場合の、上記記録媒体１０５内の状態を説明する。
図１２は、本実施の形態２における記録媒体内の、１ピクチャ単位のデータ構造で記録された圧縮符号化データの構造を示す図である。
【００９４】
図において、ＬＦＰ（Latest data Fix Point）８０１は、１ピクチャ単位のデータ構造が確保された最新の圧縮符号化データの境界地点であり、ＣＷＰ（Current data Write Point）８０２は、現在のデータ書き込み地点である。また、ＦＦＰ（Future data Fix Point）８０３は、現在データ書き込み中の１ピクチャデータの書き込みが完了した際の圧縮符号化データの境界地点である。なお、上記ＦＦＰ８０３は、１ピクチャデータサイズが固定長でない場合は、１ピクチャデータの書き込みが完了するまで、その地点が確定されないものとする。
【００９５】
次に、上述した構成を有する、本実施の形態２の情報受信記録再生装置において、アナログ映像音声信号を記録媒体１０５に記録する処理動作について説明する。
本実施の形態２における情報受信記録再生装置の、アナログ映像音声信号を記録媒体１０５に記録する一連の処理動作は、上記実施の形態１におけるものと同様であるが、圧縮符号化不可信号検知部１０２から出力された情報に従って、記録再生管理部１０４の管理の下、圧縮符号化データを記録媒体１０５に記録する際に、常に上記圧縮符号化データを１ピクチャ単位で記録するように管理する点が異なる。
【００９６】
ここで、図１３に示すフローチャートを用いて、圧縮符号化データを記録媒体１０５に記録途中に、記録再生管理部１０４に対して、圧縮符号化不可信号検知部１０２から圧縮符号化不可能であることを示す情報が出力された場合に、上記記録再生管理部１０４によって、上記記録媒体１０５に記録中の圧縮符号化データを、１ピクチャ単位のデータ構造に確保する (図５のステップ５０４に相当する) 処理動作について説明する。
【００９７】
まず、ステップ９０１において、上記圧縮符号化不可信号検知部１０２から、アナログ映像音声信号が圧縮符号化不可能であることを示す情報が出力された場合、ステップ９０２において、上記記録媒体１０５への書き込みを停止し、ステップ９０３において、ＬＦＰ（Latest data Fix Point）８０１とＣＷＰ（Current data Write Point）８０２とを取得する。
【００９８】
そして、ステップ９０４において、上記ステップ９０３において取得したＬＦＰ８０１とＣＷＰ８０２とを比較し、ＬＦＰ８０１がＣＷＰ８０２より小さい場合、すなわち、上記ＬＦＰ８０１と上記ＣＷＰ８０２とが等しくない場合、ステップ９０５において、１ピクチャ単位のデータ構造が確保されていない圧縮符号化データを削除するために、上記ＣＷＰ８０２の値に、上記ＬＦＰ８０１の値を代入して、該ＣＷＰ８０２の位置を、上記ＬＦＰ８０１の位置まで戻す処理を行う。
【００９９】
また、ステップ９０４において、上記ＬＦＰ８０１が上記ＣＷＰ８０２より大きくなることは通常ではありえないが、もしＬＦＰ８０１がＣＷＰ８０２より大きい場合は、エラーとして処理するか、もしくは、上記ＣＷＰ８０２に、上記ＬＦＰ８０１の値を代入する処理を行い、必ず１ピクチャ単位のデータ構造は確保する様に処理する。
【０１００】
一方、ステップ９０４において、上記ＬＦＰ８０１とＣＷＰ８０２とが等しい場合は、上記記録媒体１０５に記録されている圧縮符号化データが、すでに１ピクチャ単位のデータ構造を確保しているので、ステップ９０６において、１ピクチャ単位データ構造確保の処理を完了する。
【０１０１】
なお、以上の説明では、上記記録再生管理部１０４により、記録媒体１０５に記録される圧縮符号化データが、１ピクチャ単位のデータ構造を確保するよう管理するものを例に挙げたが、上記記録再生管理部１０４において、上記圧縮符号化データを、１ＧＯＰ単位のデータ構造で管理するようにしてもよい。
【０１０２】
以下、図１４を用いて、本実施の形態２における記録再生管理部１０４により、上記記録媒体１０５に記録された圧縮符号化データが、１ＧＯＰ単位のデータ構造を確保して管理されている場合の、上記記録媒体１０５内の状態を説明する。
図１４は、本実施の形態２における記録媒体内の、１ＧＯＰ単位のデータ構造で記録された圧縮符号化データの構造を示す図である。
【０１０３】
図において、上記ＬＦＰ１００１は、１ＧＯＰ単位のデータ構造が確保された最新の圧縮符号化データの境界地点であり、ＣＷＰ１００２は、現在のデータ書き込み地点である。また、ＦＦＰ（Future data Fix Point）１００３は、現在データ書き込み中の１ＧＯＰデータの書き込みが完了した際の、圧縮符号化データの境界地点である。なお、上記ＦＦＰ１００３は、１ＧＯＰデータサイズが固定長でない場合は、１ＧＯＰデータの書き込みが完了するまで、その地点が確定されないものとする。
【０１０４】
ここで、図１５に示すフローチャートを用いて、圧縮符号化データを記録媒体１０５に記録途中に、記録再生管理部１０４に対して、圧縮符号化不可信号検知部１０２から圧縮符号化不可能であることを示す情報が出力された場合に、上記記録再生管理部１０４によって、上記記録媒体１０５に記録中の圧縮符号化データを、１ＧＯＰ単位のデータ構造に確保する（図５のステップ５０４に相当する）処理動作について説明する。
【０１０５】
まず、ステップ１１０１において、上記圧縮符号化不可信号検知部１０２から、アナログ映像音声信号が圧縮符号化不可能であることを示す情報が出力された場合、ステップ１１０２において、上記記録媒体１０５への書き込みを停止し、ステップ１１０３において、ＬＦＰ１００１とＣＷＰ１００２とを取得する。
【０１０６】
そして、ステップ１１０４において、上記ステップ１１０３において取得したＬＦＰ１００１とＣＷＰ１００２とを比較し、ＬＦＰ１００１がＣＷＰ１００２より小さい場合、すなわちＬＦＰ１００１とＣＷＰ１００２とが等しくない場合、ステップ１１０５において、１ＧＯＰ単位のデータ構造が確保されていない圧縮符号化データを削除するために、上記ＣＷＰ１００２に、上記ＬＦＰ１００１の値を代入し、該ＬＦＰ１００２の位置を、上記ＬＦＰ１００１の位置まで戻す処理を行う。
【０１０７】
また、ステップ１１０４において、上記ＬＦＰ１００１が、上記ＣＷＰ１００２より大きくなることは通常ではありえないが、もしＬＦＰ１００１がＣＷＰ１００２より大きい場合は、エラーとして処理するか、もしくは、上記ＣＷＰ１００２に、上記ＬＦＰ１００１の値を代入する処理を行い、必ず１ＧＯＰ単位のデータ構造は確保するように処理する。
【０１０８】
一方、ステップ１１０４において、上記ＬＦＰ１００１とＣＷＰ１００２とが等しい場合は、上記記録媒体１０５に記録されている圧縮符号化データが、すでに１ＧＯＰ単位のデータ構造を確保しているので、ステップ１１０６において、１ＧＯＰ単位データ構造確保の処理を完了する。
【０１０９】
以上のように、本実施の形態２によれば、記録再生管理部１０４において、記録媒体１０５に記録して保存する圧縮符号化データを、必ず伸長復号化可能なデータ構造、例えば、１ピクチャ単位、あるいは１ＧＯＰ単位のデータ構造を確保して記録するようにしたので、入力されたアナログ映像音声信号が圧縮符号化不可能な信号の場合でも、上記記録媒体１０５内における、記録の中断地点と再開地点とのデータ構造が崩れないようにすることができ、その結果、上記記録媒体１０５内の圧縮符号化データを伸長復号化して、再生する際に、画像の乱れや、システムのフリーズ等が発生しないようにすることができる。
【０１１０】
なお、本実施の形態２の圧縮符号化不可信号検知部１０２においては、アナログ／デジタル変換部１０１から出力されたデジタル映像データの水平方向成分と垂直方向成分とをチェックすることにより、入力されたアナログ映像音声信号が圧縮符号化可能か不可能かを判断する場合を例に挙げて説明したが、上記入力されたアナログ映像音声信号が圧縮符号化可能か不可能かの判断を、上記実施の形態１の変形例１で説明したように、上記圧縮符号化不可信号検知部１０２が、上記圧縮符号化部１０３における圧縮符号化状態をチェックすることによって行うようにしてもよいし、あるいは、上記実施の形態１の変形例２で説明したように、上記圧縮符号化不可信号検知部１０２が、該入力されたアナログ映像音声信号における水平同期信号を検出し、その水平同期信号が一定時間間隔で検出されているかどうかをチェックすることによって行うようにしてもよい。
【０１１１】
実施の形態３．
以下に、図１６及び図１７を用いて、本発明の実施の形態３について説明する。
本実施の形態３における情報受信記録再生装置は、圧縮符号化データを記録する第１の記録媒体より高速なランダムアクセスが可能な第２の記録媒体をさらに備え、また、上記実施の形態１における記録再生管理部に、上記圧縮符号化データを第２の記録媒体に一旦格納した後、その格納した圧縮符号化データを上記第１の記録媒体に、伸長復号化可能なデータ構造を確保して記録するデータ管理手段をもたせるようにしたものである。
【０１１２】
まず、図１６を用いて、本実施の形態３における情報受信記録再生装置の構成について説明する。
図１６は、本実施の形態３における情報受信記録再生装置の構成を示すブロック図である。
図において、本実施の形態３における情報受信記録再生装置は、アナログ／デジタル変換部１２０１、圧縮符号化不可信号検知部１２０２、圧縮符号化部１２０３、記録再生管理部１２０４、第１の記録媒体１２０５、伸長復号化部１２０６、デジタル／アナログ変換部１２０７、及び第２の記録媒体１２０８からなるものである。
【０１１３】
上記第２の記録媒体１２０８は、上記第１の記録媒体１２０５より高速なランダムアクセス可能なものであり、上記記録再生管理部１２０４は、上記圧縮符号化不可信号検知部１２０２より出力される圧縮符号化可能か不可能かを示す情報に従って、圧縮符号化部１２０３から出力される圧縮符合化データの第２の記録媒体１２０８への記録管理、及び第２の記録媒体１２０８から第１の記録媒体１２０５への記録管理、及び伸長復号化部１２０６への圧縮符号化データの入力管理を行うものである。なお、その他の構成は、上記実施の形態１と同様であるため、ここでは説明を省略する。
【０１１４】
次に、上述した構成を有する、本実施の形態３の情報受信記録再生装置において、アナログ映像音声信号を第１の記録媒体１２０５に記録する処理動作について説明する。
本情報受信記録再生装置に入力されたアナログ映像音声信号は、アナログ／デジタル変換部１２０１においてデジタルデータに変換され、圧縮符号化部１２０３に出力される。またそれと同時に、上記アナログ／デジタル変換部１２０１においてデジタル変換されたデジタル映像データは、圧縮符号化不可信号検知部１２０２において、水平方向成分、垂直方向成分がチェックされる。そして、そのチェックの結果により、入力されたアナログ映像音声信号が圧縮符号化可能か不可能かを判断し、該アナログ映像音声信号が圧縮符号化可能か不可能かを示す情報が、圧縮符号化部１２０３、及び記録再生管理部１２０４に出力される。
【０１１５】
そして、圧縮符号化部１２０３において、上記圧縮符号化不可信号検知部１２０２より出力される上記圧縮符号化可能か不可能かを示す情報に従って、上記アナログ／デジタル変換部１０１からのデジタルデータを圧縮符号化して出力し、その圧縮符号化されたデータを、記録再生管理部１２０４の管理の下、第２の記録媒体１２０８に一旦格納し、該第２の記録媒体１２０８に格納された圧縮符号化データに、伸長復号化可能なデータ構造を持たせてから、第１の記録媒体１２０５へ記録する。
【０１１６】
ここで、図１７に示すフローチャートに従って、入力されたアナログ映像音声信号が圧縮符号化可能か不可能かを示す情報が、圧縮符号化不可信号検知部１２０２により通知された際の、上記記録再生管理部１２０４における処理動作について説明する。
図１７は、本実施の形態３の記録再生管理部における、入力されたアナログ映像音声信号が圧縮符号化可能か不可能かを示す情報が通知された際の処理動作を示すフローチャート図である。
まず、ステップ１３０１において、上記圧縮符号化不可信号検知部１２０２から出力される、上記圧縮符号化可能か不可能かを示す情報を、上記記録再生管理部１２０４が受信すると、ステップ１３０２，１３０３，１３１４において、現在の圧縮符号化データの記録状態、及び上記記録再生管理部１２０４に通知された圧縮符号化可能か不可能かを示す情報の内容をチェックする。
【０１１７】
そして、ステップ１３０２において、現在、圧縮符号化データが記録状態にあり、ステップ１３０３において、圧縮符号化可能であることを示す情報の通知であった場合は、ステップ１３０４に進み、第２の記録媒体１２０８に対して、圧縮符号化データの記録処理を行う。そして、ステップ１３０５において、上記第２の記録媒体１２０８に記録されている圧縮符号化データが、１ピクチャ単位、あるいは１ＧＯＰ単位存在するかを確認し、存在する場合はステップ１３０６に進んで、上記第２の記録媒体１２０８から第１の記録媒体１２０５に、１ピクチャ単位、あるいは１ＧＯＰ単位での圧縮符号化データのコピー処理を行い、上記第１の記録媒体に１ピクチャ単位、あるいは１ＧＯＰ単位で圧縮符号化データを保存する。そして、ステップ１３０７において、上記第２の記録媒体１２０８内に記録されている、上記ステップ１３０６で第１の記録媒体１２０５にコピーされた圧縮符号化データを、コピー終了後に破棄した後、ステップ１３１６に進み、圧縮符号化可能／不可能情報受信に伴う処理を終了する。
【０１１８】
また、ステップ１３０２において、現在、圧縮符号化データが記録状態にあり、ステップ１３０３において、圧縮符号化不可能であることを示す情報の通知であった場合は、まず、ステップ１３０８において、第２の記録媒体１２０８への圧縮符号化データの記録を停止し、その後ステップ１３０９において、上記第２の記録媒体１２０８に記録されている圧縮符号化データが１ピクチャ単位、あるいは１ＧＯＰ単位存在するかを確認し、存在する場合はステップ１３１０に進んで、上記第２の記録媒体１２０８から第１の記録媒体１２０５に、１ピクチャ単位、あるいは１ＧＯＰ単位での圧縮符号化データのコピー処理を行い、第１の記録媒体１２０５に１ピクチャ単位、あるいは１ＧＯＰ単位で圧縮符号化データを保存する。そして、ステップ１３１１において、上記第２の記録媒体１２０８内に記録されている、上記ステップ１３１０において上記第１の記録媒体１２０５にコピーされた圧縮符号化データを、コピー終了後に破棄する。そして、ステップ１３１２において、第２の記録媒体１２０８内に存在する１ピクチャ単位、あるいは１ＧＯＰ単位が確立していない圧縮符号化データを削除して、再度、圧縮符号化可能なアナログ映像音声信号が入力された時に、すぐに上記第２の記録媒体１２０８への圧縮符号化データの記録が再開できるよう準備を整える。そして、ステップ１３１３において、圧縮符号化可能情報の通知を待機する処理を行った後、ステップ１３１６において、圧縮符号化可能／不可能情報受信に伴う処理を終了する。
【０１１９】
また、ステップ１３０２において、現在、圧縮符号化データが記録一時停止状態にあり、ステップ１３１４において、圧縮符号化可能であることを示す情報の通知であった場合は、ステップ１３１５において、第２の記録媒体１２０８への圧縮符号化データの記録を再開し、ステップ１３１６で、圧縮符号化可能／不可能情報受信に伴う処理を終了する。
さらに、ステップ１３０２において、現在、圧縮符号化データが記録一時停止状態にあり、ステップ１３１４において、圧縮符号化不可能であることを示す情報の通知であった場合は、ステップ１３１６に進み、特別な処理を行わず、圧縮符号化可能／不可能情報受信に伴う処理を終了する。
【０１２０】
以上のように、本実施の形態３によれば、第１の記録媒体１２０５より高速なランダムアクセス可能な第２の記録媒体１２０８を備え、記録再生管理部１２０４において、まず、上記第２の記録媒体１２０８に圧縮符号化データを記録し、該第２の記録媒体１２０８内において伸長復号化可能なデータ構造が確保されてから、上記第１の記録媒体１２０５に記録するように管理するようにしたので、入力されたアナログ映像音声信号が圧縮符号化不可能な信号の場合でも、上記第１の記録媒体１２０５に記録する圧縮符号化データは、すべて伸長復号化可能なデータ構造を確保することができる。また、以上のことにより、上記第１の記録媒体１２０５内における、記録の中断地点と再開地点とのデータ構造が崩れないように確実にすることができ、その結果、上記第１の記録媒体１２０５内の圧縮符号化データを伸長復号化して、再生する際に、より確実に、画像の乱れや、システムのフリーズ等が発生しないようにすることできる。
【０１２１】
なお、本実施の形態３においても、上記実施の形態２と同様、上記圧縮符号化不可信号検知部１２０２が、アナログ／デジタル変換部１２０１から出力されたデジタル映像データの水平方向成分と垂直方向成分とをチェックすることにより、入力されたアナログ映像音声信号が圧縮符号化可能か不可能かを判断する場合を例に挙げて説明したが、上記入力されたアナログ映像音声信号が圧縮符号化可能か不可能かの判断を、上記実施の形態１の変形例１で説明したように、上記圧縮符号化不可信号検知部１２０２が、上記圧縮符号化部１２０３における圧縮符号化状態をチェックすることによって行うようにしてもよいし、あるいは、上記実施の形態１の変形例２で説明したように、上記圧縮符号化不可信号検知部１２０２が、該入力されたアナログ映像音声信号における水平同期信号を検出し、その水平同期信号が一定時間間隔で検出されているかどうかをチェックすることによって行うようにしてもよい。
【０１２２】
実施の形態４．
以下に、図１８及び図１９を用いて、本発明の実施の形態４について説明する。
本実施の形態４における情報受信記録再生装置は、アナログ／デジタル変換部においてデジタル変換されたデジタルデータのうち、圧縮符号化部に入力させるデジタルデータを出力する圧縮符号化用デジタルデータ出力部をさらに備えるようにし、圧縮符号化不可信号検知部から出力される圧縮符号化可能か不可能かを示す情報に従って、入力されたアナログ映像音声信号が圧縮符号化可能である場合は、該入力されたアナログ映像音声信号をデジタル変換後、上記圧縮符号化部に入力し、該入力されたアナログ映像音声信号が圧縮符号化不可能である場合には、本情報受信記録再生装置内で保持しているデジタルデータを、圧縮符号化部に該圧縮符号化不可能なデジタルデータのかわりに入力することで、常時、圧縮符号化可能なデジタルデータを圧縮符号化部に入力するようにしたものである。
【０１２３】
まず、図１８を用いて、本実施の形態４における情報受信記録再生装置の構成について説明する。
図１８は、本実施の形態４における情報受信記録再生装置の構成を示すブロック図である。
図において、本実施の形態４における情報受信記録再生装置は、アナログ／デジタル変換部１４０１、圧縮符号化不可信号検知部１４０２、圧縮符号化部１４０３、記録再生管理部１４０４、記録媒体１４０５、伸長復号化部１４０６、デジタル／アナログ変換部１４０７、及び圧縮符号化用デジタルデータ出力部１４０８からなるものであり、上記圧縮符号化用デジタルデータ出力部１４０８は、上記記録再生管理部１４０４からの圧縮符号化可能か不可能かを示す情報に従って、上記圧縮符号化部１４０３にデジタルデータを出力するものである。なお、その他の構成は、上記実施の形態１と同様であるため、ここでは説明を省略する。
【０１２４】
次に、上述した構成を有する、本実施の形態４における情報受信記録再生装置において、アナログ映像音声信号を記録媒体１４０５に記録する処理動作について説明する。
本情報受信記録再生装置に入力されたアナログ映像音声信号は、アナログ／デジタル変換部１４０１においてデジタルデータに変換され、圧縮符号化用デジタルデータ出力部１４０８へ出力される。また、それと同時に、上記アナログ／デジタル変換部１４０１から出力されたデジタル映像データは、圧縮符号化不可信号検知部１４０２において、水平方向成分、垂直方向成分をチェックされる。そして、そのチェックの結果により、入力されたアナログ映像音声信号が圧縮符号化可能か不可能かを判断し、該アナログ映像音声信号が圧縮符号化可能か不可能かを示す情報が、記録再生管理部１４０４に出力される。
【０１２５】
この時、上記記録再生管理部１４０４において、上記圧縮符号化不可信号検知部１４０２から圧縮符号化可能であることを示す情報が通知された場合、上記記録再生管理部１４０４により、上記入力されたアナログ映像音声信号をデジタル変換した後、上記圧縮符号化部１４０３に入力する様に、上記圧縮符号化用デジタルデータ出力部１４０８に通知がいき、該圧縮符号化用デジタルデータ出力部１４０８より、上記入力されたアナログ映像音声信号がデジタル変換されたデータが、上記圧縮符号化部１４０３に入力される。
【０１２６】
また、上記記録再生管理部１４０４において、上記圧縮符号化不可信号検知部１４０２から圧縮符号化不可能であることを示す情報が通知された場合、上記記録再生管理部１４０４から、上記情報受信記録再生装置内で保持している圧縮符号化可能なデジタルデータを上記圧縮符号化部１４０３に入力する様に、上記圧縮符号化用デジタルデータ出力部１４０８に通知がいき、該圧縮符号化用デジタルデータ出力部１４０８より、上記装置内で保持している圧縮符号化可能なデジタルデータが圧縮符号化部１４０３に入力される。
そして、圧縮符号化部１４０３において、入力されたデジタルデータを圧縮符号化し、圧縮符号化データはすべて記録媒体１４０５に記録する。
【０１２７】
ここで、図１９に示すフローチャートに従って、上記入力されたアナログ映像音声信号が圧縮符号化可能か不可能かを示す情報が、圧縮符号化不可信号検知部１４０２より通知された際の、上記記録再生管理部１４０４の処理動作について説明する。
図１９は、本実施の形態４の記録再生管理部において、入力されたアナログ映像音声信号が圧縮符号化可能か不可能かを示す情報が通知された際の処理動作を示すフローチャート図である。
【０１２８】
まず、ステップ１５０１において、上記圧縮符号化不可信号検知部１４０２から出力された上記圧縮符号化可能か不可能かを示す情報を、記録再生管理部１４０４が受信すると、ステップ１５０２，１５０３，１５０５において、現在、圧縮符号化用デジタルデータ出力部１４０８より出力されているデジタルデータの種類、及び該記録再生管理部１４０４に通知される上記圧縮符号化可能か不可能かを示す情報の内容をチェックする。
【０１２９】
そして、ステップ１５０２において、現在、圧縮符号化用デジタルデータ出力部１４０８から出力されているデジタルデータが、上記入力されたアナログ映像音声信号をデジタル変換したもので、ステップ１５０３において、圧縮符号化可能であることを示す情報の通知であった場合は、特別な処理を行わず、ステップ１５０７で、圧縮符号化可能／不可能情報受信に伴う処理を終了する。
【０１３０】
また、ステップ１５０２において、現在、圧縮符号化用デジタルデータ出力部１４０８から出力されているデジタルデータが、上記入力されたアナログ映像音声信号をデジタル変換したもので、ステップ１５０３において、圧縮符号化不可能であることを示す情報の通知であった場合は、ステップ１５０４に進み、上記圧縮符号化用デジタルデータ出力部１４０８より出力されるデジタルデータを、本情報受信記録再生装置内で保持している圧縮符号化可能なデジタルデータに切換える処理を行った後、ステップ１５０７で、圧縮符号化可能／不可能情報受信に伴う処理を終了する。
【０１３１】
また、ステップ１５０２において、現在、圧縮符号化用デジタルデータ出力部１４０８より出力されているデジタルデータが、本情報受信記録再生装置内で保持している圧縮符号化可能なデジタルデータで、ステップ１５０５において、圧縮符号化可能であることを示す情報の通知であった場合は、ステップ１５０６において、圧縮符号化用デジタルデータ出力部１４０８より出力されるデジタルデータを、上記入力されたアナログ映像音声信号をデジタル変換したものに切換える処理を行った後、ステップ１５０７で、圧縮符号化可能／不可能情報受信に伴う処理を終了する。
【０１３２】
さらに、ステップ１５０２において、現在、圧縮符号化用デジタルデータ出力部１４０８より出力されているデジタルデータが、本情報受信記録再生装置内で保持している圧縮符号化可能なデジタルデータで、ステップ１５０５において、圧縮符号化不可能であることを示す情報の通知であった場合は、特別な処理を行わず、ステップ１５０７において圧縮符号化可能／不可能情報受信に伴う処理を終了する。
【０１３３】
なお、本情報受信記録再生装置内で保持している上記圧縮符号化可能なデジタルデータは、単一色の画像データを構成するデータや、メッセージ情報を含む画像データを構成するデータにする。そして、上記圧縮符号化用デジタルデータ出力部１４０８から出力される、圧縮符号化可能なデジタルデータとして、単一色の画像データを構成するデータを使用した場合は、ユーザが後で記録媒体１４０５に記録された圧縮符号化データを直接チェックすることによって、上記圧縮符号化可能か不可能かを示す情報を取得することができる。また、圧縮符号化用デジタルデータ出力部１４０８から出力される、圧縮符号化可能なデジタルデータとして、メッセージ情報を含む画像データを構成するデータを使用した場合は、視覚的に入力されたアナログ映像音声信号によって、ユーザが記録媒体１４０５に記録されたデータを再生した際に、ユーザに対して、圧縮符号化不可能であることを示す情報を視覚的に通知することができる。
【０１３４】
以上のように、本実施の形態４によれば、アナログ／デジタル変換部１４０１からのデジタルデータを受信し、上記圧縮符号化不可信号検知部１４０２からの圧縮符号化可能か不可能かを示す情報により、記録再生管理部１４０４の制御の下、圧縮符号化部１４０３に対して、常に圧縮符号化可能なデジタルデータを出力する圧縮符号化用デジタルデータ出力部１４０８をさらに備えて、常時、圧縮符号化可能なデジタルデータを圧縮符号化部１４０３に入力するようにしたので、入力されたアナログ映像音声信号が圧縮符号化不可能な信号の場合でも、記録媒体１４０５内における、記録の中断地点と再開地点とのデータ構造が崩れないようにすることができ、その結果、上記記録媒体１４０５内の圧縮符号化データを伸長復号化して、再生する際に、確実に、画像の乱れや、システムのフリーズ等が発生しないようにすることができる。
【０１３５】
また、上記入力されたアナログ映像音声信号が圧縮不可能である場合に、上記圧縮符号化用デジタルデータ出力部１４０８から出力する、本情報受信記録再生装置内で保持している上記圧縮符号化可能なデジタルデータとして、単一色の画像データを構成するデータや、メッセージ情報を含む画像データを構成するデータを使用するようにしたので、ユーザが、上記入力されたアナログ映像音声信号が圧縮不可能なデータか、圧縮可能なデータかを確認することができる。
【０１３６】
実施の形態５．
以下に、図２０及び図２１を用いて、本発明の実施の形態５について説明する。
本実施の形態５における情報受信記録再生装置は、記録再生管理部において、圧縮符号化不可信号検知部より通知される、入力されるアナログ映像音声信号が圧縮符号化可能か不可能かを示す情報を、記録媒体に記録する圧縮符号化データのデータ構造単位（データブロック）毎に付加した上で、該記録媒体に記録し、上記記録媒体に記録された圧縮符号化データを再生時に、該圧縮符号化データと共に記録されている、上記圧縮符号化可能か不可能かを示す情報に従い、上記圧縮符号化データに圧縮符号化可能であることを示す情報が付加されている場合は、伸長復号化部にそのデータブロックの圧縮符号化データを出力し、該圧縮符号化データに圧縮符号化不可能であることを示す情報が付加されている場合は、伸長復号化部にそのデータブロックの圧縮符号化データを出力しないことで、常時、伸長復号化可能なデジタルデータを伸長復号化部に入力するようにしたものである。
【０１３７】
まず、図２０を用いて、本実施の形態５における情報受信記録再生装置の構成について説明する。
図２０は、本実施の形態５における情報受信記録再生装置の構成を示すブロック図である。
図において、本実施の形態５における情報受信記録再生装置は、アナログ／デジタル変換部１６０１、圧縮符号化不可信号検知部１６０２、圧縮符号化部１６０３、記録再生管理部１６０４、記録媒体１６０５、伸長復号化部１６０６、デジタル／アナログ変換部１６０７、及び伸長復号化用デジタルデータ出力部１６０８からなるものであり、上記記録再生管理部１６０４は、上記圧縮符号化不可信号検知部１６０２から、入力されたアナログ映像音声信号が圧縮符号化可能か不可能かを示す情報を受信し、該圧縮符号化可能か不可能かを示す情報を、記録媒体１６０５の圧縮符号化データを記録する領域とは別領域に、圧縮符号化データのデータブロック毎に記録するものである。また、伸長復号化用デジタルデータ出力部１６０８は、上記記録再生管理部１６０４からの情報に従って、上記記録媒体１６０５から圧縮符号化データを出力するものである。なお、その他の構成は、上記実施の形態１と同様であるため、ここでは説明を省略する。
【０１３８】
次に、上述した構成を有する、本実施の形態５における情報受信記録再生装置において、アナログ映像音声信号を記録媒体１６０５に記録する処理動作について説明する。
本情報受信記録再生装置に入力されたアナログ映像音声信号は、アナログ／デジタル変換部１６０１においてデジタルデータに変換され、圧縮符号化部１６０３に出力される。またそれと同時に、上記アナログ／デジタル変換部１６０１から出力されたデジタル映像データは、圧縮符号化不可信号検知部１６０２において、水平方向成分、垂直方向成分をチェックされる。そして、そのチェック結果により、入力されたアナログ映像音声信号が圧縮符号化可能か不可能かを判断し、該アナログ映像音声信号が圧縮符号化可能か不可能かを示す情報が、記録再生管理部１６０４に出力される。
【０１３９】
そして、記録再生管理部１６０４から、上記圧縮符号化可能か不可能かを示す情報（入力データ情報）が上記記録媒体１６０５に出力され、上記圧縮符号化部１６０３から出力されて、該記録媒体１６０５に記録される圧縮符号化データとは別領域に、該圧縮符号化データのデータブロック毎に対応するように、上記入力データ情報が記録される。なお、上記圧縮符号化データのデータブロックは、１ピクチャ単位や１ＧＯＰ単位等のデータを示す。
【０１４０】
そして、上記記録媒体１６０５から、圧縮符号化データを再生する際に、まず、上記記録媒体１６０５より、圧縮符号化データ及び上記入力データ情報を読み出し、伸長復号化用デジタルデータ出力部１６０８において、該圧縮符号化データに対応する上記入力データ情報が、圧縮符号化可能であることを示す情報の場合は、該伸長復号化用デジタルデータ出力部１６０８に読み出しされた１データブロックの圧縮符号化データを、伸長復号化部１６０６に入力する。一方、上記伸長復号化用デジタルデータ出力部１６０８において、圧縮符号化データに対応する上記入力データ情報が、圧縮符号化不可能であることを示す情報の場合は、該伸長復号化用デジタルデータ出力部１６０８において、読み出しされた１データブロックの圧縮符号化データを破棄する。
【０１４１】
そして、上記伸長復号化部１６０６は、入力された圧縮符号化データの伸長復号処理を行い、デジタル／アナログ変換部１６０７へ出力する。そして、上記デジタル／アナログ変換部１６０７は、入力されたデジタルデータをアナログ映像音声信号に変換し、出力する。
【０１４２】
ここで、図２１に示すフローチャートに従って、記録媒体１６０５の圧縮符号化データを再生する際の、上記記録再生管理部１６０４における処理動作について説明する。
図２１は、本実施の形態５の記録再生管理部における、記録媒体から圧縮符号化データを再生する時の処理動作を示すフローチャート図である。
【０１４３】
まず、ステップ１７０１において、再生命令が記録再生管理部１６０４に通知されると、ステップ１７０２において、再生する圧縮符号化データに対応する、圧縮符号化可能か不可能かを示す情報である入力データ情報を、記録媒体１６０５から読み出す。そして、ステップ１７０３において、再生する圧縮符号化データが、上記記録媒体１６０５に残存するかどうかチェックし、残存する場合は、ステップ１７０４において、該圧縮符号化データを、記録媒体１６０５から伸長復号化用デジタルデータ出力部１６０８に読み出す。そして、ステップ１７０５において、圧縮符号化データに対応する入力データ情報の内容をチェックし、該入力データ情報が圧縮符号化可能であることを示す情報である場合は、ステップ１７０６において、上記圧縮符号化データの１データブロック出力命令を、上記伸長復号化用デジタルデータ出力部１６０８に通知し、伸長復号化部１６０６へ該圧縮符号化データを出力する。一方、ステップ１７０５において、上記圧縮符号化データに対応する上記入力データ情報が、圧縮符号化不可能であることを示す情報である場合は、ステップ１７０７において、上記圧縮符号化データの１データブロック破棄命令を、上記伸長復号化用デジタルデータ出力部１６０８に通知し、該伸長復号化用デジタルデータ出力部１６０８において、１データブロック分の圧縮符号化データを破棄する。
【０１４４】
そして、再生する圧縮符号化データが記録媒体１６０５に残存しなくなるまで、上述のステップ１７０３以降の処理、つまり、再生する圧縮符号化データが上記記録媒体１６０５に残存するかどうかのチェック以降の処理を繰り返し、上記記録媒体１６０５内に記録された圧縮符号化データの再生を行う。
【０１４５】
以上のように、本実施の形態５によれば、記録媒体１６０５に、圧縮符号化データを記録する際に、記録再生管理部１６０４により、該圧縮符号化データのデータブロック毎の圧縮符号化可能か不可能かを示す情報である入力情報データを、上記圧縮符号化データと共に記録し、上記圧縮符号化データを再生時に、記録再生管理部１６０４の管理の下、伸長復号化用デジタルデータ出力部１６０８において、上記入力情報データが圧縮不可能であることを示す場合には、該圧縮符号化データを含むデータブロックを破棄し、常時、伸長復号化可能なデジタルデータを、伸長復号化部１６０６に入力するようにしたので、入力されたアナログ映像音声信号が圧縮符号化不可能な信号の場合でも、上記記録媒体１６０５内における、記録の中断地点と再開地点とのデータ構造が崩れないようして、上記記録媒体１６０５内の圧縮符号化データを伸長復号化し、再生する際に、画像の乱れや、システムのフリーズ等が発生しないようにすることができる。
【０１４６】
産業上の利用可能性
本発明にかかる情報受信記録再生方法、及び情報受信記録再生装置は、入力されるアナログ映像音声信号をデジタル変換し、圧縮符号化して記録した後、伸長復号化してアナログ変換した後、再生する場合に、画像の乱れや、システムのフリーズ等が発生しないようにするものとして極めて有用である。
【図面の簡単な説明】
【図１】  本発明の実施の形態１、及び実施の形態２における、情報受信記録再生装置の構成を示すブロック図である。
【図２】  本発明の実施の形態１の圧縮符号化不可信号検知部において、入力されたアナログ映像音声信号が圧縮符号化可能か不可能かを示す情報を出力する処理を示すフローチャート図である。
【図３】  本発明の実施の形態１における、代表的な映像信号に関わる規格ITU-R BT.601-5の情報規格値を示す図である。
【図４】  本発明の実施の形態１の圧縮符号化部において、入力されたアナログ映像音声信号が圧縮符号化可能か不可能かを示す情報が通知された際の処理を示すフローチャート図である。
【図５】  本発明の実施の形態１の記録再生管理部において、入力されたアナログ映像音声信号が圧縮符号化可能か不可能かを示す情報が通知された際の処理を示すフローチャート図である。
【図６】  本発明の実施の形態１の変形例１における、情報受信記録再生装置の構成を示すブロック図である。
【図７】  本発明の実施の形態１の変形例１の圧縮符号化不可信号検知部において、入力されたアナログ映像音声信号が圧縮符号化可能か不可能かを示す情報を出力する処理を示すフローチャート図である。
【図８】  本発明の実施の形態１の変形例２における、情報受信記録再生装置の構成を示す図である。
【図９】  本発明の実施の形態１の変形例２の圧縮符号化不可信号検知部において、入力されたアナログ映像音声信号が圧縮符号化可能か不可能かを示す情報を出力する処理を示すフローチャート図である。
【図１０】  映像信号の仕様（米国EIAから発表されているテレビジョン信号の規格、仕様であるRS-170A規格）を示す図である。
【図１１】  NTSC方式における映像信号の仕様値を示す図である。
【図１２】  本発明の実施の形態２の記録媒体において、圧縮符号化データが１ピクチャ単位のデータ構造を確保して記録されている構造を示す図である。
【図１３】  本発明の実施の形態２の記録再生管理部において、記録媒体へ１ピクチャ単位のデータ構造を確保して記録する際の処理を示すフローチャート図である。
【図１４】  本発明の実施の形態２の記録媒体において、圧縮符号化データが１ＧＯＰ単位のデータ構造を確保して記録されている構造を示す図である。
【図１５】  本発明の実施の形態２の記録再生管理部において、記録媒体へ１ＧＯＰ単位のデータ構造を確保して記録する際の処理を示すフローチャート図である。
【図１６】  本発明の実施の形態３における、情報受信記録再生装置の構成を示すブロック図である。
【図１７】  本発明の実施の形態３の記録再生管理部において、入力されたアナログ映像音声信号が圧縮符号化可能か不可能かを示す情報が通知された際の処理を示すフローチャート図である。
【図１８】  本発明の実施の形態４における、情報受信記録再生装置の構成を示すブロック図である。
【図１９】  本発明の実施の形態４の記録再生管理部において、入力されたアナログ映像音声信号が圧縮符号化可能か不可能かを示す情報が通知された際の処理を示すフローチャート図である。
【図２０】  本発明の実施の形態５における、情報受信記録再生装置の構成を示すブロック図である。
【図２１】  本発明の実施の形態５の記録再生管理部において、圧縮符号化データ再生時の処理を示すフローチャート図である。
【図２２】  従来の情報受信記録再生装置の構成を示すブロック図である。
【図１】
0003958684.tif 000002
【図２】
0003958684.tif 000003
【図３】
0003958684.tif 000004
【図４】
0003958684.tif 000005
【図５】
0003958684.tif 000006
【図６】
0003958684.tif 000007
【図７】
0003958684.tif 000008
【図８】
0003958684.tif 000009
【図９】
0003958684.tif 000010
【図１０】
0003958684.tif 000011
【図１１】
0003958684.tif 000012
【図１２】
0003958684.tif 000013
【図１３】
0003958684.tif 000014
【図１４】
0003958684.tif 000015
【図１５】
0003958684.tif 000016
【図１６】
0003958684.tif 000017
【図１７】
0003958684.tif 000018
【図１８】
0003958684.tif 000019
【図１９】
0003958684.tif 000020
【図２０】
0003958684.tif 000021
【図２１】
0003958684.tif 000022
【図２２】
0003958684.tif 000023